(57)【要約】【課題】ＧＰＳ付通信機において、ＧＰＳによる測位中に通信機からの送信を行うと測位精度に影響を及ぼし測位精度が低下するという課題がある。本発明はこれをこれを解決したＧＰＳ付通信機を提供することにある。【解決手段】ＧＰＳ受信機を備えた通信機であって、ＧＰＳ受信機からの測位データおよび他の通信データを送信する通信機とを有するものにおいて、前記ＧＰＳ受信機による測位データ受信中は通信機を送信停止状態とし、前記測位データ受信終了後前記通信機を送信可能状態とし、測位データを送信することにある。【選択図】  図１
2005043054.tif 000002
【特許請求の範囲】
【請求項１】
ＧＰＳ受信機を備えた通信機であって、前記ＧＰＳ受信機からの測位データおよび他の通信データを送信する通信機において、前記ＧＰＳ受信機による測位データ受信中は通信機を送信停止状態とする送信停止制御部と、前記ＧＰＳ受信機に起動信号を与えるＧＰＳ起動制御部と、前記測位データ受信終了後前記通信機を送信可能状態として測位データを送信制御する調停制御部とから構成した制御部を有することを特徴とするＧＰＳ受信機付通信機。
【請求項２】
請求項１において、前記通信機は携帯電話であることを特徴とするＧＰＳ受信機付通信機。
【請求項３】
ＧＰＳ受信機を備えた通信機であって、ＧＰＳ受信機からの測位データおよび他の通信データを送信する通信機とを有するものにおいて、前記ＧＰＳ受信機による測位データ受信中は通信機を送信停止状態とし、前記測位データ受信終了後前記通信機を送信可能状態とし、測位データを送信することを特徴とするＧＰＳ受信機付通信機の通信制御方法。
【請求項４】
請求項３において、前記通信機が通信状態にあるときはＧＰＳ測位要求信号をホールドし、他の通信が終了後にＧＰＳ測位データを受信することを特徴とするＧＰＳ受信機付通信機の通信制御方法。
【発明の詳細な説明】
【０００１】
【発明の属する技術分野】
本発明はＧＰＳ受信機付通信機に関するものである。移動物体である自動車、人間の位置をセンタ側から把握するシステムにおいてはＧＰＳによる測位結果を通信機もしくは携帯電話によりセンタへ通信する。本発明は特にＧＰＳ受信機付携帯用通信機およびその制御方法に関するものである。
【０００２】
【従来の技術】
【特許文献１】特開２００２−１６４８０３号公報
前記特許文献１の記載はＧＰＳ（Ｇｌｏｂａｌ  Ｐｏｓｉｔｉｏｎｉｎｇ  Ｓｙｓｔｅｍ）アンテナ装置において、携帯電話による受信の妨害を避けるシステムである。具体的にはＧＰＳアンテナ装置のＬＮＡ（Ｌｏｗ  Ｎｏｉｓｅ  Ａｍｐ）の入力部に携帯電話周波数帯のトラップ回路を設けたことにある。すなわち、携帯電話周波数帯の信号は抑止され、ＧＰＳ周波数帯の電波信号がＬＮＡに入力される。これにより，ＧＰＳ電波信号を安定して受信できるようにしている。
【０００３】
また、ＧＰＳ受信部の初段に、携帯電話で用いている送信周波数成分を除去するフィルタを用意し影響を排除する方法があるが、共通する電源部からの廻り込みを防止することができず、効果は少ない。
【０００４】
また、従来のＧＰＳ受信機付通信機、特にＧＰＳ受信機付携帯電話においては、ＧＰＳ受信機の測位結果を、通信機、携帯電話により送信するが、ＧＰＳの受信と通信機、携帯電話側の送信動作は必ずしも同期されておらず、通信機、携帯電話の送信動作がＧＰＳ受信機の初段プリアンプ、受信部に影響を与えＧＰＳ受信機の受信精度に悪影響を及ぼしている。
【０００５】
このような課題を解決する従来の技術としては、ＧＰＳの受信部と通信機、携帯電話を電気的にアイソレートするとともにＧＰＳ受信部の入力側にフィルタ等で送信電波の影響を少なくする方法がある。しかしながら、この方法では送信電波の影響を排除することは困難であり、また通信機全体の小型化をはかることは困難である。
【０００６】
【発明が解決しようとする課題】
前記したように、従来技術では通信機、携帯電話の送信動作により、直接もしくは共通する電源部からの廻り込みで、ＧＰＳ受信機による測位の受信精度に悪影響が及び、結果としてＧＰＳによる所望の測位精度が得られないという課題がある。本発明はこのような課題を解決するために、通信機、携帯電話の送信動作がＧＰＳの受信精度に影響を及ぼさないＧＰＳ受信機付通信機とその制御方法を提供することにある。
【０００７】
【課題を解決するための手段】
前記課題は以下の手段により解決することができる。
【０００８】
ＧＰＳ受信機を備えた通信機であって、前記ＧＰＳ受信機からの測位データおよび他の通信データを送信する通信機において、前記ＧＰＳ受信機による測位データ受信中は通信機を送信停止状態とする送信停止制御部と、前記ＧＰＳ受信機に起動信号を与えるＧＰＳ起動制御部と、前記測位データ受信終了後前記通信機を送信可能状態として測位データを送信制御する調停制御部とから構成した制御部を有することにある。また、前記通信機に携帯電話を用いたことにある。
【０００９】
ＧＰＳ受信機を備えた通信機であって、ＧＰＳ受信機からの測位データおよび他の通信データを送信する通信機とを有するものにおいて、前記ＧＰＳ受信機による測位データ受信中は通信機を送信停止状態とし、前記測位データ受信終了後前記通信機を送信可能状態とし、測位データを送信するＧＰＳ受信機付通信機の通信制御方法を構成する。
【００１０】
また、前記通信機が通信状態にあるときはＧＰＳ測位要求信号をホールドし、他の通信が終了後にＧＰＳ測位データを受信することにある。
【００１１】
【発明の実施の形態】
本発明の実施の形態を図１に示す。図１はＧＰＳ受信機付通信機の実施例である。制御部４は、通信機送信部８と送信出力部９の制御およびＧＰＳ受信機３の両方を制御するものである。
【００１２】
制御部４における調停制御部５は、ＧＰＳの要求とその他の通信要求を調停する部分であり、その他の通信を行なっている場合はＧＰＳ要求をホールドし、ＧＰＳの測位と通信機からの送信を切り替え制御する。すなわち通信機からの送信が終了、あるいは通信状態にないときにＧＰＳの測位をおこなうことにある。前記のように、ＧＰＳ要求がホールドされている状態でその他の通信が終了した場合および通信状態でない場合に、ホールドされているＧＰＳの要求をあるいはこのときに発生したＧＰＳ要求１１を受け入れることになる。
【００１３】
そしてこの場合にＧＰＳ受信機は、ＧＰＳ測位動作に遷移し、送信停止制御部７経由にて通信機送信出力部９に対し送信停止信号１７を送出し送信動作を停止させる。その上でＧＰＳ起動制御部６経由にてＧＰＳ起動信号１６をＧＰＳ受信機３に送出しＧＰＳ測位受信を開始させる。測位データ受信の完了後調停制御部５は測位データ１２を通信機送信部１５に送信した後、送信停止制御部７経由にて送信停止信号１７を解除し、測位データは送信出力部９、通信用アンテナ１０を経由してセンタ側に送信される。通信データ１４は、例えば携帯電話の場合の音声信号あるいはパソコンに接続しているような場合は、メールデータなどの信号が対応する。
【００１４】
これらの処理は、マイコン等によって構成されるので、その処理フローを図２により説明する。図２においてステップＳ２１はＧＰＳの測位要求があったことを示している。ステップＳ２３では通信機が通信状態かどうかをチェックし、通信中であればステップＳ２５においてＧＰＳの要求をホールドし、通信状態が終了するまで待機状態となる。ステップＳ２７において通信終了（あるいは通信状態ではない）が判定されると、ステップＳ２９でＧＰＳ測位モードに遷移することになる。そして電源からの廻り込み等による測位精度の低下を防止するために、ステップＳ３１において通信機８からの送信を停止するために、通信機送信停止信号１７を送信出力部９に出力し、送信停止モードにする。
【００１５】
その後、ステップＳ３３で、ＧＰＳ受信機３を起動するためのＧＰＳ起動信号１６をＧＰＳ受信機に出力し、ＧＰＳの測位を開始・継続をおこなう（ステップＳ３５）。測位が完了したかどうかをステップＳ３７で判定し、終了するまで測位が継続される。
【００１６】
測位が完了すると、ステップＳ３９で、測位データ１２を取り込み、測位送信データ１５として通信機送信部８に転送する。ステップＳ４１では前記ステップＳ３１で通信機からの送信を停止させている信号１７を解除して、通信可能モードにする。そして、ステップＳ４２では、測位データを送信出力部９、通信用アンテナ１０を介してセンタ側に送信する。
【００１７】
本発明では通信機出力部とＧＰＳ受信機を制御する制御部によりＧＰＳ測位中は通信部の送信動作を停止するように制御する。これにより送信電波がＧＰＳ受信部に直接与える影響及び共通する電源部からの廻り込みを防止することが可能となり、結果としてＧＰＳ受信部の感度はＧＰＳ単独で動作する場合と同等となる。すなわち、送信動作時は出力信号が大きいため電源からの回り込みの影響が大きいが、ＧＰＳ受信中は送信を停止しているので影響はない。
【００１８】
このように本発明では、ＧＰＳ受信機によりＧＰＳによる測位中の状態では、通信機による送信は抑止されているため、送信電波がＧＰＳ受信部に影響を与えることもなく、また共通の電源部からの廻り込みによる測位精度の低下を防止することができる。
【００１９】
【発明の効果】
上記により、本発明によれば、ＧＰＳ測位中は通信機の送信部は抑止状態にするために、送信電波がＧＰＳ受信部に影響を与えることなく、また、共通する電源部からの廻り込みによる測位精度の低下を防止することができる。
【図面の簡単な説明】
【図１】本発明の１実施例であるＧＰＳ付通信機のブロック図である。
【図２】図１における処理フロー図の例である。
【符号の説明】
１；ＧＰＳアンテナ  ２；プリアンプ  ３；ＧＰＳ受信機  ４；制御部  ５；調停制御部  ６；ＧＰＳ起動制御部  ７；送信停止制御部  ８；通信機送信部  ９；送信出力部  １０；通信用アンテナ  １１；ＧＰＳ要求  １２；測位データ  １３；通信要求  １４；通信データ  １５；送信データ  １６；ＧＰＳ起動信号１７；送信停止信号。
【図１】
2005043054.tif 000003
【図２】
2005043054.tif 000004